(57)【特許請求の範囲】
【請求項１】
バッテリ本体上面に立設されたバッテリポストと、電線端に接続されると共に該バッテリポストに係合されるバッテリ用ターミナルとを備えたバッテリ端子接続構造であって、
前記バッテリポストには、当該バッテリポストの周囲を覆う第１のコネクタハウジングが係着できるように基部側に形成された雄ねじ部と、該第１のコネクタハウジングに嵌合される第２のコネクタハウジング内に収容された雌端子が接続できるように先端側に形成された雄端子部とが、一体形成されていることを特徴とするバッテリ端子接続構造。
【発明の詳細な説明】
【０００１】
【発明の属する技術分野】
本発明はバッテリ端子接続構造に関し、特に、電気的接続を簡単かつ確実に行なうことができると共に、複数のバッテリ用ターミナルの端子形状にも対応することができるバッテリポストを備えたバッテリ端子接続構造に関する。
【０００２】
【従来の技術】
従来より、バッテリ端子接続構造に関しては、種々のものが知られている。例えば、図７に示した従来のバッテリ端子接続構造１においては、バッテリ本体２上面に立設された円柱状のバッテリポスト（バッテリ電極）３に外嵌される略円筒状の電極把持部４と、該電極把持部４の両端から対向して延出された一対の脚片部５，５と、前記電極把持部４を縮径変形させるべく前記一対の脚片部５，５を互いに接近する方向に保持する締付け手段としてのボルト６、ワッシャ７及びナット８とを備えたバッテリ用ターミナル１０が用いられている。
【０００３】
そして、電線Ｗの端部に固定された前記バッテリ用ターミナル１０をバッテリポスト３に固定する場合には、両脚片部５，５を広げた状態で電極把持部４をバッテリポスト３に嵌装する。そして、ボルト貫通孔９に挿通したボルト６の軸部にワッシャ７を介して螺合させたナット８を締め付けることにより、両脚片部５，５が互いに引き寄せられて電極把持部４が縮径変形される。この結果、電極把持部４がバッテリポスト３の外周面に圧接し、バッテリポスト３とバッテリ用ターミナル１０とが通電可能に接続される。
【０００４】
又、図８に示した従来の他のバッテリ端子接続構造２１においては、バッテリ本体２２上面に立設されたボルト状のバッテリポスト２３に接続端子部２４の挿通孔２５を挿通した後、ナット２８をバッテリポスト２３の雄ねじ部分に螺合させて締め付けることによって、バッテリポスト２３と接続端子部２４とが通電可能に接続されるバッテリ用ターミナル２０が用いられている。
更に、近年は自動車の排気ガスによる大気汚染を改善するため、高性能な電気自動車の開発が推進されているが、電気自動車に搭載されるバッテリに使用されるバッテリ端子接続構造としても、高い電圧に対応した種々のものが提案されている。
【０００５】
【発明が解決しようとする課題】
ところで、上述の如き各種のバッテリ端子接続構造１，２１では、異なるバッテリ端子接続構造１，２１に用いられるバッテリポスト３，２３の形状が、それぞれ異なっており、相互に全く互換性がない。
そこで、各種のバッテリ端子接続構造１，２１に応じて複数のバッテリポスト３，２３を用意しなければならず、部品管理等が煩雑となって製造コスト上昇の一因となっていた。
【０００６】
又、上述の如き従来の各バッテリ端子接続構造１（２１）においては、車両の走行に伴う振動によってバッテリポスト３（２３）へのバッテリ用ターミナル１０（２０）の固定が緩まないようにするために、ナット８（２８）を強く締め付ける必要がある。
そこで、ナット８（２８）の締め付けにインパクトレンチや電動レンチ等の工具を用いざるを得ず、接続作業が煩雑となることに加え、工具の重量が作業者の肉体的負担となる問題がある。また、ナット８（２８）の締め過ぎによるバッテリポスト３（２３）やバッテリ用ターミナル１０（２０）の破損を防止する必要もある。
【０００７】
更に、例えば、電気自動車等に搭載されるバッテリのように、複数のバッテリを互いに直列又は並列に接続する際に用いられるバッテリ用ターミナルの場合は、各バッテリポストの間隔が狭く、締付け工具が隣接したバッテリポスト等の他の部品に当たって操作し難く、作業効率が低下するという問題がある。
従って、本発明の目的は上記課題を解消することに係り、汎用性が高く、接続作業の容易なバッテリ端子接続構造を提供することにある。
【０００８】
【課題を解決するための手段】
本発明の上記目的は、バッテリ本体上面に立設されたバッテリポストと、電線端に接続されると共に該バッテリポストに係合されるバッテリ用ターミナルとを備えたバッテリ端子接続構造であって、
前記バッテリポストには、当該バッテリポストの周囲を覆う第１のコネクタハウジングが係着できるように基部側に形成された雄ねじ部と、該第１のコネクタハウジングに嵌合される第２のコネクタハウジング内に収容された雌端子が接続できるように先端側に形成された雄端子部とが、一体形成されていることを特徴とするバッテリ端子接続構造により達成される。
【０００９】
上記構成によれば、バッテリポストの雄ねじ部に第１のコネクタハウジングを係着した後、雌端子を収容した第２のコネクタハウジングを前記第１のコネクタハウジングに嵌合させるだけで、バッテリポストの雄端子部を前記雌端子と電気的に接続することができる。
【００１０】
そこで、締付け工具を用いてナットを締め付ける必要はなく、簡単なコネクタ嵌合によりバッテリポストと電線を電気的に接続することができる。従って、ナットの締め過ぎを防止する手段を設ける必要がなく、締付け工具が他の部品に当たって作業効率が低下するといったこともないので、バッテリ用ターミナルの接続作業の著しい向上を図ることができるとともに、信頼性の高いバッテリ端子接続構造を得ることができる。
【００１１】
又、上記バッテリポストは、雄ねじ部と雄端子部とが一体形成されているので、それぞれ独立して又は同時に、例えば接続端子部の挿通孔にバッテリポストを挿通させたバッテリ用ターミナルを前記雄ねじ部に螺合させたナットで締付け固定したり、前記雄端子部に接続可能な端子部を備えたバッテリ用ターミナルを該雄端子部に固定したりすることができる。
【００１２】
そこで、本発明のバッテリポストは、単一形状でありながら異なる端子形状を有する複数のバッテリ用ターミナルにも対応することができる。従って、バッテリ端子接続構造の異なるバッテリ毎に多数のバッテリポストを用意する必要がなく、バッテリ製造時の部品管理等が容易になる。
【００１３】
【発明の実施の形態】
以下、添付図面に基づいて本発明の一実施形態に係るバッテリ端子接続構造を詳細に説明する。
図１は本発明の一実施形態に係るバッテリ端子接続構造を備えたバッテリの要部分解斜視図、図２は図１に示したバッテリ端子接続構造を説明する部分断面斜視図、図３は図１に示したバッテリ端子接続構造の接続状態を示す縦断面図である。
【００１４】
図１乃至図３に示したように、本実施形態のバッテリ端子接続構造３１は、バッテリ本体３２上面に立設されたバッテリポスト３３と、電線Ｗの端部に接続されると共に該バッテリポスト３３に係合されるバッテリ用ターミナル５１とを備える。尚、図１に示した一対のバッテリポスト３３，３３は、それぞれバッテリの正極及び負極に対応するものであり、全く同一の構成である。
【００１５】
前記バッテリポスト３３は、図２に示したように、基部側に形成された雄ねじ部３４と、先端側に形成された円柱状の雄端子部３５とが一体形成されたバッテリ電極である。
前記雄ねじ部３４には、合成樹脂等の絶縁材料から成る第１のコネクタハウジングである雌コネクタハウジング３６を螺着することができると共に、前記雄端子部３５には、バッテリ用ターミナル５１の円筒状の雌端子５０を挿入することができる（図３、参照）。
【００１６】
略有底円筒状に形成された前記雌コネクタハウジング３６の底部には、前記雄ねじ部３４に螺合可能な雌ねじ部３７が形成されており、前記雄ねじ部３４に螺着されることによって、前記バッテリポスト３３の周囲を覆うことができる。
又、第２のコネクタハウジングである雄コネクタハウジング４１が嵌入される前記雌コネクタハウジング３６の上部開口内縁には、前記雄コネクタハウジング４１の側面に設けられた一対のロックアーム４３，４３の各係止用突起４３ａが係合可能な内フランジ３８が形成されている。
【００１７】
前記雄コネクタハウジング４１は、図３に示したように、合成樹脂等の絶縁材料から成り、収容されるバッテリ用ターミナル５１の雌端子５０及び電線固定部（図示せず）を絶縁状態に覆うと共に、ロックアーム４３の係止用突起４３ａを前記内フランジ３８に係脱させるロック機構によって、前記雌コネクタハウジング３６に着脱可能とされている。
前記雌端子５０の雄端子挿入孔内には、前記雄端子部３５との間の導通を確保する為に燐青銅等の高伝導性弾性材からなる接触バネ５２が嵌挿されている。
【００１８】
次に、上述したバッテリ端子接続構造３１の接続手順を説明する。
先ず、バッテリポスト３３の雄ねじ部３４に雌コネクタハウジング３６の雌ねじ部３７を螺合させることによって、該雄ねじ部３４の先端側に一体形成された雄端子部３５の周囲を覆うように該雌コネクタハウジング３６を螺着する。
一方、電線固定部に電線Ｗの端部を固定すると共に、雌端子５０の雄端子挿入孔内に接触バネ５２を嵌挿したバッテリ用ターミナル５１が、前記雄コネクタハウジング４１に囲まれた状態で組付けられる。
【００１９】
次に、前記雄端子部３５に外嵌接続される雌端子５０を収容した雄コネクタハウジング４１を前記雌コネクタハウジング３６の上部開口内に嵌合させる。この時、雄コネクタハウジング４１に設けられた一対のロックアーム４３，４３の各係止用突起４３ａが、雌コネクタハウジング３６の内フランジ３６に係合される。
これにより、雄コネクタハウジング４１は雌コネクタハウジング３６に対して相対変位不能に係止され、雌端子５０は雄端子部３５とは電気的に導通させられる。尚、ロックアーム４３，４３と内フランジ３６との係合を解除すれば、雄コネクタハウジング４１は雌コネクタハウジング３６から抜脱可能となる。
【００２０】
即ち、本実施形態のバッテリ端子接続構造３１によれば、雌端子５０を収容した雄コネクタハウジング３６を雌コネクタハウジング３６に嵌合させるだけで、バッテリポスト３３の雄端子部３５を前記雌端子５０と電気的に接続することができる。
そこで、締付け工具を用いてナットを締め付ける必要はなく、簡単なコネクタ嵌合によりバッテリポスト３３と電線Ｗを電気的に接続することができる。
【００２１】
従って、ナットの締め過ぎを防止する手段をバッテリ用ターミナルに設ける必要がなく、締付け工具が他の部品に当たって作業効率が低下するといったこともない。また、ナットを締め付ける為のインパクトレンチや電動レンチ等の重い工具を必要としないから、バッテリ用ターミナルの接続作業を極めて容易に且つ確実に行なうことができると共に、作業者の肉体的負担を著しく軽減させることができる信頼性の高いバッテリ端子接続構造を得ることができた。
【００２２】
尚、本発明のバッテリ端子接続構造は、上記実施形態のバッテリ端子接続構造３１における雌コネクタハウジング３６、雄コネクタハウジング４１、バッテリ用ターミナル５１及び雄端子部３５の構成に限定されるものではなく、種々の形態を採りうることは云うまでもない。
例えば、上記実施形態における雄端子部３５は、円筒状の雌端子５０に合わせて円柱状とされているが、該雄端子部の形状は嵌合される雌端子の形状に合わせて適宜変更可能である。又、バッテリポストの雄ねじ部に係着可能な第１のコネクタハウジングを雄コネクタハウジングとし、第２のコネクタハウジングを雌コネクタハウジングとすることもでき、ロック機構の構成等も種々の構成を採りうる。
【００２３】
又、バッテリポストの雄ねじ部に係着可能な第１のコネクタハウジングとして、図４に示したような雌コネクタハウジング１３６を用いることもできる。
略有底円筒状に形成された前記雌コネクタハウジング１３６の底部には、図４に示したように、前記雄ねじ部３４に係合可能な複数の係止ランス１３７を内周面に突設した開口が形成されている。
【００２４】
そこで、前記雌コネクタハウジング１３６をバッテリポスト３３の上方から押し込むと、前記係止ランス１３７が前記雄ねじ部３４のネジ山に係止されるので、該雌コネクタハウジング１３６は係着されて、前記バッテリポスト３３の周囲を覆うことができる。又、前記雌コネクタハウジング１３６の底面には、複数のガタツキ防止用弾性片１３８が突設されている。
そして、前記雌コネクタハウジング１３６をバッテリポスト３３から外す際には、前記雄ねじ部３４に対して該雌コネクタハウジング１３６を緩み方向に回転させれば良い。
【００２５】
図５及び図６は、上記実施形態のバッテリ端子接続構造３１におけるバッテリポスト３３の他の接続形態を示す要部分解斜視図及び部分断面拡大図である。
前記雌コネクタハウジング３６が螺着できるように前記バッテリポスト３３の基部側に形成された雄ねじ部３４には、図５に示したように、バッテリ用ターミナル６０の接続端子部６１に形成された挿通孔６２を挿通させると共に、ナット２８を螺合させて締め付けることによって、該バッテリ用ターミナル６０を締付け固定し、バッテリポスト３３と接続端子部６１とを通電可能に接続することができる。
【００２６】
又、前記雌端子５０が接続できるように前記バッテリポスト３３の先端側に形成された雄端子部３５には、図６に示したように、バッテリ用ターミナル１０の端子部である電極把持部４を外嵌すると共に、ボルト貫通孔９に挿通したボルト６にナットを締め付けることにより、両脚片部５，５を互いに引き寄せて電極把持部４を縮径変形させることができる。そこで、該電極把持部４が前記雄端子部３５の外周面に圧接し、バッテリポスト３３とバッテリ用ターミナル１０とを通電可能に接続することができる。
【００２７】
即ち、上記バッテリポスト３３は、単一形状でありながら異なる端子形状を有する複数のバッテリ用ターミナル１０，６０にも対応することができる。従って、バッテリ端子接続構造の異なるバッテリ毎に多数のバッテリポストを用意する必要がなく、バッテリ製造時の部品管理等が容易になる。
従って、本実施形態のバッテリ端子接続構造３１によれば、汎用性が高く、接続作業の容易なバッテリ端子接続構造を提供することができる。
尚、図６に示したバッテリポスト３３には、二つのバッテリ用ターミナル１０，６０を同時に固定したが、それぞれ独立して固定することもできる。
【００２８】
【発明の効果】
以上説明したように、本発明のバッテリ端子接続構造によれば、バッテリポストの雄ねじ部に第１のコネクタハウジングを係着した後、雌端子を収容した雄コネクタハウジングを前記第１のコネクタハウジングに嵌合させるだけで、バッテリポストの雄端子部を前記雌端子と電気的に接続することができる。
【００２９】
そこで、締付け工具を用いてナットを締め付ける必要はなく、簡単なコネクタ嵌合によりバッテリポストと電線を電気的に接続することができる。従って、ナットの締め過ぎを防止する手段を設ける必要がなく、締付け工具が他の部品に当たって作業効率が低下するといったこともないので、バッテリ用ターミナルの接続作業の著しい向上を図ることができるとともに、信頼性の高いバッテリ端子接続構造を得ることができる。
【００３０】
又、上記バッテリポストは、雄ねじ部と雄端子部とが一体形成されているので、それぞれ独立して又は同時に、例えば接続端子部の挿通孔にバッテリポストを挿通させたバッテリ用ターミナルを前記雄ねじ部に螺合させたナットで締付け固定したり、前記雄端子部に接続可能な端子部を備えたバッテリ用ターミナルを該雄端子部に固定したりすることができる。
【００３１】
そこで、本発明のバッテリポストは、単一形状でありながら異なる端子形状を有する複数のバッテリ用ターミナルにも対応することができる。従って、バッテリ端子接続構造の異なるバッテリ毎に多数のバッテリポストを用意する必要がなく、バッテリ製造時の部品管理等が容易になるので、製造コストの低減も可能となる。
従って、汎用性が高く、接続作業の容易なバッテリ端子接続構造を提供することができる。
【図面の簡単な説明】
【図１】本発明の一実施形態に係るバッテリ端子接続構造を備えたバッテリの要部分解斜視図である。
【図２】図１に示したバッテリ端子接続構造を説明する部分断面斜視図である。
【図３】図１に示したバッテリ端子接続構造の接続状態を示す縦断面図である。
【図４】図１に示した雌コネクタハウジングの変形例を示す部分断面斜視図である。
【図５】図１に示したバッテリ端子接続構造におけるバッテリポストの他の接続形態を示す要部分解斜視図である。
【図６】図１に示したバッテリ端子接続構造におけるバッテリポストの他の接続形態を示す部分断面拡大図である。
【図７】従来のバッテリ端子接続構造を備えたバッテリの要部分解斜視図である。
【図８】従来の他のバッテリ端子接続構造を備えたバッテリの要部分解斜視図である。
【符号の説明】
３１    バッテリ端子接続構造
３２    バッテリ本体
３３    バッテリポスト
３４    雄ねじ部
３５    雄端子部
３６    雌コネクタハウジング（第１のコネクタハウジング）
３７    雌ねじ部
４１    雄コネクタハウジング（第２のコネクタハウジング）
４３    ロックアーム
５０    雌端子
５１    バッテリ用ターミナル
【図１】
0003646922.tif 000002
【図２】
0003646922.tif 000003
【図３】
0003646922.tif 000004
【図４】
0003646922.tif 000005
【図５】
0003646922.tif 000006
【図６】
0003646922.tif 000007
【図７】
0003646922.tif 000008
【図８】
0003646922.tif 000009